(57)【要約】      （修正有）【課題】導光板の表面欠陥を通過する光線を調節することで、全体の出光品質を向上させることができる導光板、バックライトモジュール及び表示装置を提供する。【解決手段】導光板２００は本体２１０と、複数のストリップ状構造２２０と、複数のヘアライン２３０とを含む。本体は、入光面２１１と、入光面に接続されている少なくとも一つの主表面２１２とを有する。ストリップ状構造は、主表面に配列される。ヘアラインは、各ストリップ状構造の表面に分布され、一定の疎密ルールに従う配列を有する。バックライトモジュール１００は、導光板と、導光板の入光面に隣設され、回路基板３１０と回路基板に設けられている複数の発光ダイオード３２０とを含む光源と、を備える。【選択図】図１
0003206145.tif 000002
【実用新案登録請求の範囲】
【請求項１】
入光面と前記入光面に接続されている少なくとも一つの主表面とを有する本体と、
前記少なくとも一つの主表面に配列されている複数のストリップ状構造と、
各前記複数のストリップ状構造の表面に分布されている複数のヘアラインと、を含み、
各前記複数のストリップ状構造の表面において、前記複数のヘアラインは、一定の疎密ルールに従う配列を有する導光板。
【請求項２】
前記少なくとも一つの主表面は出光面又は反射面である請求項１に記載の導光板。
【請求項３】
各前記複数のストリップ状構造の断面形状は三角形、半円形又は台形である請求項１に記載の導光板。
【請求項４】
各前記複数のストリップ状構造の延伸方向は前記入光面に平行し、前記複数のヘアラインの延伸方向は前記複数のストリップ状構造の延伸方向に垂直する請求項１に記載の導光板。
【請求項５】
各前記複数のストリップ状構造の延伸方向は前記入光面に平行し、前記複数のヘアラインの延伸方向は前記複数のストリップ状構造の延伸方向に平行する請求項１に記載の導光板。
【請求項６】
各前記複数のストリップ状構造において、前記少なくとも一つの主表面から離れる前記複数のヘアラインの配列の密度は前記少なくとも一つの主表面に近い前記複数のヘアラインの配列の密度より大きい請求項５に記載の導光板。
【請求項７】
請求項１乃至６のいずれか１項に記載の導光板と、
前記導光板の前記入光面に隣設され、回路基板と前記回路基板に設けられている複数の発光ダイオードとを含む光源と、を備えるバックライトモジュール。
【請求項８】
請求項４に記載の導光板と、
前記導光板の前記入光面に隣設され、回路基板と前記回路基板に設けられている複数の発光ダイオードとを含む光源と、を備え、
各前記複数のストリップ状構造において、前記複数の発光ダイオードの間に対応する前記複数のヘアラインの配列の密度は前記複数の発光ダイオードに対応する前記複数のヘアラインの配列の密度より大きいバックライトモジュール。
【請求項９】
請求項７に記載のバックライトモジュールと、
前記導光板の前方に設けられている表示パネルと、を含む、表示装置。
【請求項１０】
請求項８に記載のバックライトモジュールと、
前記導光板の前方に設けられている表示パネルと、を含む、表示装置。
【考案の詳細な説明】
【技術分野】
【０００１】
本考案は導光素子に関し、特に、導光板及び当該導光板のバックライトモジュールと表示装置とにおける応用に関する。
【背景技術】
【０００２】
一般的に、バックライトモジュールに用いられる導光板は、入光面と、出光面と、反射面とを含む。光源により提供された光線は、導光板の入光面から導光板に入り、導光板の出光面から射出する。導光板に入った光線が出光する前により均一的に混合されるように、通常、導光板の出光面には、横向きのＶ型マイクロ構造が設けられる。
【０００３】
しかしながら、この種の横向きのＶ型マイクロ構造は比較的に高い指向性を有する。こうなると、導光板の表面にパーティクル又は他の欠陥が現れる場合には、光線が導光板を通過するときに妨害されてしまい、導光板の光学的外観が影響される。
【考案の概要】
【考案が解決しようとする課題】
【０００４】
このため、本考案は、導光板の表面欠陥を通過する光線を調節することで、バックライトモジュール及び表示装置全体の出光品質を向上させることができる導光板、バックライトモジュール及び表示装置を提供することを一つの目的とする。
【課題を解決するための手段】
【０００５】
本考案の上記目的に応じて、導光板を提供する。この導光板は、本体と、複数のストリップ状構造と、複数のヘアラインとを含む。本体は、入光面と、入光面に接続されている少なくとも一つの主表面とを有する。ストリップ状構造は、主表面に配列されている。ヘアラインは、各ストリップ状構造の表面に分布されている。各ストリップ状構造の表面において、これらのヘアラインは一定の疎密ルールに従う配列を有する。
【０００６】
本考案の一実施例において、前記主表面は出光面又は反射面である。
【０００７】
本考案の他の実施例において、前記ストリップ状構造の断面形状は三角形、半円形又は台形である。
【０００８】
本考案の他の実施例において、各前記ストリップ状構造の延伸方向は入光面に平行し、ヘアラインの延伸方向はストリップ状構造の延伸方向に垂直する。
【０００９】
本考案の他の実施例において、各前記ストリップ状構造の延伸方向は入光面に平行し、ヘアラインの延伸方向はストリップ状構造の延伸方向に平行する。
【００１０】
本考案の他の実施例において、各前記ストリップ状構造において、少なくとも一つの主表面から離れる複数のヘアラインの配列の密度は少なくとも一つの主表面に近い複数のヘアラインの配列の密度より大きい。
【００１１】
本考案の上記目的に応じて、更にバックライトモジュールを提供する。このバックライトモジュールは、前記導光板と、光源とを備える。回路基板と複数の発光ダイオードとを含む光源は、導光板の入光面に隣設されている。これらの発光ダイオードは、回路基板に設けられている。
【００１２】
本考案の上記目的に応じて、更にバックライトモジュールを提供する。このバックライトモジュールは、前記導光板と、光源とを含む。回路基板と複数の発光ダイオードとを含む光源は、導光板の入光面に隣設されている。これらの発光ダイオードは、回路基板に設けられている。各ストリップ状構造において、前記発光ダイオードの間に対応するヘアラインの配列の密度は前記発光ダイオードに対応するヘアラインの配列の密度より大きい。
【００１３】
本考案の上記目的に応じて、更に表示装置を提供する。この表示装置は、前記バックライトモジュールと、表示パネルとを含む。表示パネルは、導光板の前方に設けられている。
【００１４】
上記から分かるように、本考案は、ストリップ状構造により導光板全体の出光効果を向上させると共に、更にヘアラインにより導光板表面の製造欠陥による明る過ぎる又は暗過ぎる領域を調節することができるため、導光板の欠陥による出光不良を減少し、バックライトモジュール及び表示装置全体の出光均一度を向上させることができる。
【図面の簡単な説明】
【００１５】
実施例及びその利点をより分かりやすいようにするために、図面を参照して下記の説明を行う。
【図１】図１は、本考案の第１実施形態に係るバックライトモジュールの構成の一部の模式図である。
【図２】図２は、本考案の第１実施形態に係るバックライトモジュールの一部の平面図である。
【図３】図３は、本考案の第２実施形態に係るバックライトモジュールの構成の一部の模式図である。
【図４】図４は、本考案の第３実施形態に係る導光板の側面図である。
【図５】図５は、本考案の第４実施形態に係る導光板の側面図である。
【図６】図６は、本考案の一実施形態に係る表示装置の構成の模式図である。
【考案を実施するための形態】
【００１６】
本考案の第１実施形態に係るバックライトモジュールの構成の一部の模式図及び一部の平面図をそれぞれ示す図１及び図２を参照する。本実施形態のバックライトモジュール１００は、導光板２００と、光源３００とを含む。光源３００は、回路基板３１０と回路基板３１０に設けられている複数の発光ダイオード３２０とを含み、これらの発光ダイオード３２０は回路基板３１０に電気的に接続されている。光源３００は、導光板２００の片側に設けられ、導光板２００へ発射する光線を生成する。図１及び図２に示すように、導光板２００は、本体２１０と、複数のストリップ状構造２２０と、複数のヘアライン２３０とを含む。ストリップ状構造２２０は、本体２１０に設けられている。ヘアライン２３０は、ストリップ状構造２２０の表面に分布されている。これにより、ストリップ状構造２２０により導光板２００から射出する光線を混合し、ヘアライン２３０により光線を調節することができるため、導光板２００の製造欠陥による出光不良を減少し、バックライトモジュール１００全体の出光均一度を向上させることができる。
【００１７】
図１及び図２を引き続いて参照すると、導光板２００の本体２１０は、入光面２１１と、少なくとも一つの主表面とを有する。本実施例において、主表面は二つあり、一つの主表面が出光面２１２であり、他の一つの主表面が反射面２１３であり、出光面２１２と反射面２１３とは、それぞれ入光面２１１の対向する両側に接続されている。ストリップ状構造２２０は、出光面２１２に配列され、各ストリップ状構造２２０の延伸方向は入光面２１１に平行する。ヘアライン２３０は、各ストリップ状構造２２０の表面に分布されている。本実施例において、図２に示すように、これらのヘアライン２３０の延伸方向はストリップ状構造２２０の延伸方向に垂直する。また、各ストリップ状構造２２０の表面において、これらのヘアライン２３０は一定の疎密ルールに従う配列を有する。
【００１８】
ある実施例において、ストリップ状構造２２０の表面におけるヘアライン２３０は、発光ダイオード３２０の光線照射方向又は他の要求に応じて一定の疎密ルールに従う配列を有する。図２に示すように、各発光ダイオード３２０から発射された光線は発散的に導光板２００に入射するため、本実施例のストリップ状構造２２０において、発光ダイオード３２０の間に位置するヘアライン２３０の配列の密度は発光ダイオード３２０の対応位置に位置するヘアライン２３０の配列の密度より大きい。
【００１９】
図２に示すように、発光ダイオード３２０は、導光板２００において複数の第１区域Ａ１及び複数の第２区域Ａ２を形成している。ここで、第１区域Ａ１は、各発光ダイオード３２０から発射された光線が直接的に照射する位置を示す。第２区域Ａ２は、隣り合う発光ダイオード３２０の間に位置し、発光ダイオード３２０と交錯して光線に直接的に照射されない位置を示す。したがって、本実施例において、第１区域Ａ１に位置するヘアライン２３０の配列の密度は第２区域Ａ２に位置するヘアライン２３０の配列の密度より小さい。このため、光線の均一度を調整でき、バックライトモジュール１００全体の出光効果を向上させることができる。
【００２０】
なお、本実施形態のストリップ状構造２２０は、出光面２１２に設けられているが、本考案を限定するものではない。他の実施例において、ストリップ状構造２２０は、設計要求に応じて反射面２１３に設けられていてもよい。また、本考案のストリップ状構造２２０の延伸方向も入光面２１１に平行することに限定されず、他の実施例において、ストリップ状構造２２０の延伸方向は、設計要求に応じて調整されてもよい。
【００２１】
他の実施例において、導光板におけるヘアラインは異なる延伸方向を有してもよい。図３は、本考案の第２実施形態に係るバックライトモジュールの構成の一部の模式図である。本実施形態のバックライトモジュール４００の構造はバックライトモジュール１００とほぼ同じであり、バックライトモジュール４００における導光板５００が異なるヘアラインを有する点のみで相違している。図３に示すように、導光板５００は、本体５１０と、複数のストリップ状構造５２０と、複数のヘアライン５３０とを含む。本体５１０は、入光面５１１と、少なくとも一つの主表面とを有する。本実施例において、主表面は二つあり、一つの主表面が出光面５１２であり、他の一つの主表面が反射面５１３であり、出光面５１２と反射面５１３とは、それぞれ入光面５１１の対向する両側に接続されている。図３に示すように、ストリップ状構造５２０は、出光面５１２に配列され、各ストリップ状構造５２０の延伸方向は入光面５１１に平行する。ヘアライン５３０は、各ストリップ状構造５２０の表面に分布されている。各ストリップ状構造５２０の表面において、これらのヘアライン５３０の延伸方向はストリップ状構造５２０の延伸方向に平行し、これらのヘアライン５３０も一定の疎密ルールに従う配列を有する。
【００２２】
図３を引き続いて参照すると、本実施例のストリップ状構造５２０において、出光面５１２から離れるヘアライン５３０の配列の密度は出光面５１２に近いヘアライン５３０の配列の密度より大きい。本実施例において、ストリップ状構造５２０は凸状構造であり、出光面５１２から離れる部分の表面に比べてストリップ状構造５２０が製造中又は搬送中でより製造欠陥又は衝突不良を発生しやすいため、欠陥の発生可能な部分にヘアライン５３０を設けることにより光線を調節することができ、光線が欠陥部分を通過することによる出光の不均一を引き起こす問題を避ける。なお、異なる実施例において、ストリップ状構造５２０は要求に応じて凹状構造に設計されていてもよい。
【００２３】
なお、上記実施例のバックライトモジュール１００および４００において、ストリップ状構造２２０および５２０の断面形状は三角形であるが、本考案を限定するものではない。他の実施例において、ストリップ状構造の断面形状は他の形状であってもよい。図４は、本考案の第３実施形態に係る導光板の側面図である。図４に示す実施例において、導光板６００のストリップ状構造６２０の延伸方向は入光面６１１に平行し、断面形状が台形である。本実施例において、ヘアラインは要求に応じてストリップ状構造６２０の延伸方向に平行又は垂直し、一定の疎密ルールに従う配列を有するように設計され、上記実施例と同じ目的を達する。
【００２４】
図５は、本考案の第４実施形態に係る導光板の側面図である。図５に示す実施例において、導光板７００のストリップ状構造７２０の延伸方向は入光面７１１に平行し、断面形状が半円形である。本実施例において、ヘアラインは要求に応じてストリップ状構造７２０の延伸方向に平行又は垂直し、一定の疎密ルールに従う配列を有するように設計され、上記実施例と同じ目的を達する。
【００２５】
図６は、本考案の一実施形態に係る表示装置の側面図である。本実施形態に係る表示装置８００は、図１に示すようなバックライトモジュール１００と、表示パネル８１０とを含む。図６に示すように、表示パネル８１０は、バックライトモジュール１００の導光板２００の出光側に設けられている。表示装置８００は導光板２００におけるストリップ状構造２２０およびヘアライン２３０により、上述した光線の調節および均一化の目的を達することができるため、ここでは詳細な説明を省略する。なお、本実施例では図１に示すバックライトモジュール１００を表示装置８００に用いることは例示に過ぎず、本考案を限定するものではない。上述した他の実施例の導光板、例えば導光板５００、６００、７００は表示装置に用いられて、同じ効果を奏してもよい。
【００２６】
上述した本考案の実施形態から分かるように、本考案は、ストリップ状構造により導光板全体の出光効果を向上させるとともに、更にヘアラインにより導光板表面の製造欠陥による明る過ぎる又は暗過ぎる領域を調節することができるため、導光板の欠陥による出光不良を減少でき、バックライトモジュール及び表示装置全体の出光均一度を向上させることができる。
【００２７】
本考案は実施例により上記のように示されているが、これらは本考案を限定するものではない。当業者であれば、本考案の要旨を逸脱しない範囲内で、各種の変更と修飾を行うことができる。従って、本考案の保護範囲は、実用新案登録請求の範囲で限定するものを基準とする。
【符号の説明】
【００２８】
１００  バックライトモジュール、
２００  導光板、
２１０  本体、
２１１  入光面、
２１２  出光面、
２１３  反射面、
２２０  ストリップ状構造、
２３０  ヘアライン、
３００  光源、
３１０  回路基板、
３２０  発光ダイオード、
４００  バックライトモジュール、
５００  導光板、
５１０  本体、
５１１  入光面、
５１２  出光面、
５１３  反射面、
５２０  ストリップ状構造、
５３０  ヘアライン、
６００  導光板、
６１１  入光面、
６２０  ストリップ状構造、
７００  導光板、
７１１  入光面、
７２０  ストリップ状構造、
８００  表示装置、
８１０  表示パネル、
Ａ１  第１区域、
Ａ２  第２区域。
【図１】
0003206145.tif 000003
【図２】
0003206145.tif 000004
【図３】
0003206145.tif 000005
【図４】
0003206145.tif 000006
【図５】
0003206145.tif 000007
【図６】
0003206145.tif 000008